(57)【要約】【課題】見易い表示装置を提供する。【解決手段】実施形態によれば、表示装置は、表示部と、透光部と、複数の反射部と、光学部材と、を含む。前記表示装置は、第１部分と第２部分とを含む画像光を出射する。前記透光部は、光透過性である。前記第１部分及び前記第２部分は、前記透光部に入射する。前記複数の反射部は、前記透光部に入射した前記第１部分の一部を反射して、前記透光部から出射させる。前記透光部に入射した前記第２部分は、前記光学部材に入射する。前記光学部材の前記画像光に対する透過率は、前記透光部の前記画像光に対する透過率よりも低い。【選択図】図１
2018136454.tif 000002
【特許請求の範囲】
【請求項１】
第１部分と第２部分とを含む画像光を出射する表示部と、
前記第１部分及び前記第２部分が入射する光透過性の透光部と、
前記透光部に入射した前記第１部分の一部を反射して、前記透光部から出射させる複数の反射部と、
前記透光部に入射した前記第２部分が入射する光学部材であって、前記光学部材の前記画像光に対する透過率は、前記透光部の前記画像光に対する透過率よりも低い、前記光学部材と、
を備えた表示装置。
【請求項２】
前記複数の反射部は、第１反射部と第２反射部とを含み、
前記第１反射部は、前記第１部分の前記一部を反射し、前記第１部分の別の一部を透過させ、
前記第２反射部は、前記第１反射部を透過した前記別の一部を反射して、前記透光部から出射させる請求項１記載の表示装置。
【請求項３】
前記透光部は、第１表面を有し、
前記光学部材は、前記第１表面に沿った方向において前記第１表面と重なる第１部材を含む請求項１または２に記載の表示装置。
【請求項４】
前記複数の反射部の少なくとも１つの端部は、前記第１表面に沿った方向において前記第１表面と重なる請求項３記載の表示装置。
【請求項５】
前記透光部は、前記第１表面と離間した第２表面を有し、
前記光学部材は、前記第２表面に沿った方向において前記第２表面と重なる第２部材を含む請求項３または４に記載の表示装置。
【請求項６】
前記透光部は、前記画像光が入射する端面を含み、第１方向に延在し、
前記表示部は、前記第１方向に対して垂直な方向において互いに離間した第１表示端と第２表示端とを含み、
前記第１表示端と前記第１表面との間の距離は、前記第２表示端と前記第１表面との間の距離よりも短く、
前記複数の反射部のうち前記端面から最も遠い反射部は、前記第１表面に沿って設けられた第１反射端を有し、
前記第１部分の前記一部は、前記第１表面において前記透光部から出射され、
前記第２部分は、前記第２表示端から出射される光を含み、
前記端面に入射した前記第２部分の前記光は、前記第１反射端へ向かって進行し、前記第１部材に入射する請求項３〜５のいずれか１つに記載の表示装置。
【請求項７】
前記透光部は、前記画像光が入射する端面を含み、第１方向に延在し、
前記表示部は、前記第１方向に対して垂直な方向において互いに離間した第１表示端と第２表示端とを含み、
前記第１表示端と前記第１表面との間の距離は、前記第２表示端と前記第１表面との間の距離よりも短く、
前記端面は、前記第２表面に隣接した端部を含み、
前記第１部分の前記一部は、前記第１表面において前記透光部から出射され、
前記第１部分は、前記第２表示端から出射される光を含み、
前記第１部分の前記光は、前記端面の前記端部において前記透光部に入射して、前記複数の反射部に入射する請求項５記載の表示装置。
【請求項８】
前記第１表面と前記複数の反射部の１つとの間の角度は、３０度より大きく６０度未満である請求項３〜７のいずれか１つに記載の表示装置。
【請求項９】
前記第１部分の前記一部は、前記第１表面において前記透光部から出射され、
前記複数の反射部に反射された前記第１部分の前記一部の進行方向と前記第１表面との間の角度は６０度よりも大きいことを特徴とする請求項３〜８のいずれか１つに記載の表示装置。
【請求項１０】
前記光学部材の光吸収率は、前記透光部の光吸収率よりも高い請求項１〜９のいずれか１つに記載の表示装置。
【発明の詳細な説明】
【技術分野】
【０００１】
本発明の実施形態は、表示装置に関する。
【背景技術】
【０００２】
例えば、画像情報を含む画像光を出射する表示部と、画像光を反射する反射部と、を含む表示装置がある。反射部において画像光が使用者の眼へ向けて反射される。これにより、使用者に対して画像が表示される。このような表示装置において、見易い表示を得ることが望まれる。
【先行技術文献】
【特許文献】
【０００３】
【特許文献１】特許第４５０８６５５号公報
【発明の概要】
【発明が解決しようとする課題】
【０００４】
本発明の実施形態は、見易い表示装置を提供する。
【課題を解決するための手段】
【０００５】
本発明の実施形態によれば、表示装置は、表示部と、透光部と、複数の反射部と、光学部材と、を含む。前記表示装置は、第１部分と第２部分とを含む画像光を出射する。前記透光部は、光透過性である。前記第１部分及び前記第２部分は、前記透光部に入射する。前記複数の反射部は、前記透光部に入射した前記第１部分の一部を反射して、前記透光部から出射させる。前記透光部に入射した前記第２部分は、前記光学部材に入射する。前記光学部材の前記画像光に対する透過率は、前記透光部の前記画像光に対する透過率よりも低い。
【図面の簡単な説明】
【０００６】
【図１】実施形態に係る表示装置の使用状況を例示する模式的平面図である。
【図２】実施形態に係る表示装置を例示する模式図である。
【図３】図３（ａ）〜図３（ｆ）は、実施形態に係る表示装置の一部を例示する模式図である。
【図４】図４（ａ）〜図４（ｄ）は、実施形態に係る表示装置の一部を例示する模式図である。
【図５】図５（ａ）〜図５（ｃ）は、表示装置を例示する模式図である。
【図６】実施形態に係る表示装置を例示する模式図である。
【図７】実施形態に係る表示装置を例示する模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
図１は、実施形態に係る表示装置の使用状況を例示する模式的平面図である。  
図１に示すように、本実施形態に係る表示装置１００は、例えば使用者２００の頭部に装着可能なＨＭＤ（ヘッドマウントディスプレイ）である。表示装置１００から使用者２００の瞳孔２０１（眼球）へ向けて、表示対象の画像に基づく光が投影される。この光によって、使用者２００は、画像の虚像を見る。
【０００９】
この例では、表示装置は、単眼ＨＭＤである。すなわち、１つの表示装置１００を用いて使用者の２００の片方の眼球に対して画像を表示している。但し、実施形態は、２つの表示装置１００を用いて両方の眼球に対して画像を表示する両眼ＨＭＤであってもよい。
【００１０】
図１に示すように、表示装置１００は、表示部１０と、複数の反射部２０と、透光部（保持部）５０と、光学部材（遮光部）６０と、を含む。表示装置１００は、光学部（投影部）３０と、処理部（画像処理部）４０と、をさらに含んでもよい。
【００１１】
処理部４０は、例えば、ＩＣ（Integrated Circuit）などの回路である。処理部４０は、外部のメモリなどから表示対象の画像（以下、対象画像と称する）を取得する。
【００１２】
表示部１０は、画像を表示するディスプレイである。表示部１０は、平面上に並べられた複数の画素１０ｅを含む。表示部１０は、処理部４０と有線または無線によって接続されている。表示部１０は、処理部４０から画像データを取得する。この画像データは、例えば、処理部によって対象画像が適宜補正された画像のデータである。複数の画素１０ｅは、取得された画像データに応じて光を出射する。すなわち、表示部１０（複数の画素１０ｅ）は、表示装置１００に入力された対象画像に基づく画像光Ｌｅを出射する。なお、表示部１０として用いられるディスプレイには、液晶、有機ＥＬまたはＬＣＯＳ（Liquid Crystal On Silicon）などの任意の方式を用いることができる。
【００１３】
光学部３０は、表示部１０から出射された画像光の光路上において、表示部１０と透光部５０との間に設けられる。光学部３０は、表示部１０の画素１０ｅから出射された画像光の焦点距離や光路を変更し、透光部５０及び反射部２０へ向けて出射する。光学部３０は、少なくとも１つ以上の光学素子を含む。光学素子は、例えば、レンズ、プリズムまたはミラー等である。図２には、光学部３０として１つのレンズ３１が表されている。光学部３０が複数の光学素子を含む場合には、レンズ３１は、複数の光学素子のうち、例えば最も反射部２０に近い。但し、レンズ３１の位置は、これに限定されない。光学部３０が複数の光学素子を含む場合、複数の光学素子は、直線上に配置されていなくてもよい。
【００１４】
透光部５０は、表示部１０から出射された画像光（可視光）に対して光透過性を有する。この例では、透光部５０として直方体状の透明な樹脂が用いられている。光透過性を有する状態（透明）とは、例えば、光に対する透過率が、当該光に対する反射率よりも高く、当該光に対する吸収率よりも高い状態である。画像を表示する機能を失わない範囲内で、透光部５０の形状を自由に変更してもよい。例えば、透光部５０の形状は、直方体状でなくてもよい。
【００１５】
透光部（保持部）５０は、複数の反射部２０および光学部材６０を保持して、その位置を固定する。例えば、複数の反射部２０及び光学部材６０は、透光部５０の内部に保持される。
【００１６】
複数の反射部２０のそれぞれは、画像光の一部を瞳孔２０１の方向へ反射し、画像光の別の一部を透過させる。これにより、画像光の少なくとも一部が、瞳孔２０１に投影される。使用者２００の瞳孔２０１から見たときに、投影された画像光は、虚像として像２１０を形成する。
【００１７】
例えば、表示部１０から出射された画像光Ｌｅは、第１部分Ｌ１を含む。第１部分Ｌ１は、光学部３０を通過して透光部５０に入射する。複数の反射部２０は、第１部分Ｌ１の一部を反射して透光部５０から出射させる。
【００１８】
この例では、反射部（反射面）２０は、平面状である。反射部２０は、曲面状であり屈折力を有していてもよい。反射部２０には、例えば、アクリル等の部材に蒸着された金属（アルミニウム等）を用いることができる。反射部２０には、誘電多層膜を用いてもよい。誘電体多層膜は、誘電体（例えばケイ素酸化物やチタン酸化物など）を含む薄膜が積層された膜である。反射部２０の材料や積層構造によって、反射特性が適宜調整される。
【００１９】
光学部材６０は、表示部１０から出射された画像光の一部を遮光する。光学部材６０の画像光に対する透過率は、透光部５０の画像光に対する透過率よりも低い。光学部材６０は、表示部１０から出射された画像光に対して光吸収性を有する。光吸収性を有する状態とは、例えば、光に対する吸収率が、当該光に対する反射率よりも高く、当該光に対する透過率よりも高い状態である。光学部材６０の画像光に対する吸収率は、透光部５０の画像光に対する吸収率よりも高い。
【００２０】
例えば、表示部１０から出射された画像光Ｌｅは、第２部分Ｌ２を含む。第２部分Ｌ２は、光学部３０を通過して透光部５０に入射する。透光部５０に入射した第２部分Ｌ２は、透光部５０の表面や複数の反射部２０まで到達せず、光学部材６０に入射する。これにより、第２部分Ｌ２は、遮光される。
【００２１】
後述するように、表示装置においては、想定した光路とは異なる光路を進む光（迷光）が生じることがある。迷光が生じると、使用者が観察する像の画質が劣化することがある。これに対して、実施形態においては、光学部材６０は、例えば迷光の光路を遮断することができる。迷光の発生を抑制し、見やすい表示を得ることができる。
【００２２】
実施例に係る表示装置の例についてさらに説明する。  
図２は、実施形態に係る表示装置を例示する模式図である。  
図２は、図１のうち表示装置１００を例示する部分を拡大して示す。
【００２３】
透光部５０は、第１方向Ｄ１に延びる。使用者２００の視線方向（正面方向）は、例えば、第１方向Ｄ１に対して垂直な第２方向Ｄ２である。
【００２４】
透光部５０は、第１方向Ｄ１における端面５０ａと、第１方向Ｄ１において端面５０ａと離間した端面５０ｂとを有する。端面５０ａは、透光部５０に画像光が入射する入射端である。
【００２５】
透光部５０は、端面５０ａと端面５０ｂとを接続する第１表面５１及び第２表面５２を有する。第１表面５１及び第２表面５２のそれぞれは、第１方向Ｄ１に延在する。第１表面５１及び第２表面５２は、第２方向Ｄ２において互いに離間する。第１表面５１は、使用者２００側の表面であり、第２表面５２は、その反対側の表面である。
【００２６】
複数の反射部２０は、例えば、第１〜第３反射部２１〜２３を含む。画像光の光路上において、第３反射部２３と表示部１０との間に第２反射部２２が設けられ、第２反射部２２と表示部１０との間に第１反射部２１が設けられる。
【００２７】
複数の反射部２０は、第１方向Ｄ１に沿って並んで設けられる。例えば、第１反射部２１の中心と第２反射部２２の中心とを結ぶ方向は、第１方向Ｄ１に対して平行である。レンズ３１の光軸３１ｘは、例えば、第１方向Ｄ１に対して平行であり、第１反射部２１の中心と交わる。
【００２８】
複数の反射部２０のそれぞれは、第１方向Ｄ１に対して傾斜している。第１表面５１（第１方向Ｄ１）と複数の反射部２０の１つとの間の角度θ１は、３０度より大きく６０度未満であり、例えば４５度である。
【００２９】
この例では、複数の反射部２０同士は、互いに平行である。複数の反射部２０は、隣接する反射部２０同士の間の角度が例えば２度以下の範囲内で、互いに傾斜していてもよい。
【００３０】
第１反射部２１に入射した画像光の一部は、瞳孔２０１の方向へ反射される。第１反射部２１によって反射されずに透過した画像光の一部は、第２反射部２２に入射し、瞳孔２０１の方向へ反射される。さらに、第２反射部２２によって反射されずに透過した画像光の一部は、第３反射部２３に入射し、瞳孔２０１の方向へ反射される。このように、反射と透過とが繰り返される。これにより、画像光は、複数の反射部２０から使用者２００の瞳孔２０１に投影される。
【００３１】
例えば、第１反射部２１は、第１部分Ｌ１の一部（例えば光Ｌａ）を瞳孔２０１の方向へ反射し、第１表面５１において透光部５０から出射させる。第１反射部２１は、第１部分Ｌ１の別の一部（例えば光Ｌｂ）を透過させる。第２反射部２２は、光Ｌｂを瞳孔２０１の方向へ反射し、第１表面５１において透光部５０から出射させる。
【００３２】
複数の反射部２０によって反射された第１部分Ｌ１の一部の進行方向（例えば方向ＤＬａ）と第１表面５１との間の角度θ２は、例えば６０度よりも大きい。これにより、複数の反射部２０によって反射された画像光が第１表面５１から透光部５０の外部へ出射されやすい。
【００３３】
例えば、図２に表した位置Ａに瞳孔２０１があるときには、第１反射部２１によって反射された画像光は、瞳孔２０１に到達し、第３反射部２３によって反射された画像光は、瞳孔２０１に到達しない。一方、瞳孔２０１が位置Ｂにあるときには、第１反射部２１によって反射された画像光は、瞳孔２０１に到達せず、第３反射部２３によって反射された画像光は、瞳孔２０１に到達する。このように、各反射部２０によって反射された画像光の全ては、同時に瞳孔２０１に到達しなくてもよい。瞳孔２０１の位置に対応する反射部２０から投影された画像光のみが、瞳孔２０１に到達する。これにより、例えば、瞳孔２０１の位置が位置Ａから位置Ｂに変化しても、使用者２００は、対象画像の像を見ることができる。
【００３４】
反射部２０が１枚のみの場合には、像を見ることができる瞳孔２０１の位置は、狭い範囲に限られる。これに対して、実施形態においては、上記のように複数の反射部２０が設けられる。これにより、瞳孔２０１に応じて瞳孔２０１に画像光を投影する反射部が入れ替わる。以上により、使用者２００が映像を見ることができる瞳孔２０１の位置の範囲（アイレンジＥＲ）が拡大される。したがって、見やすい表示を得ることができる。
【００３５】
この例では、反射部２０の数は３であるが、実施形態において、反射部２０の数は２以上であればよい。反射部２０の数を３以上とすることにより、アイレンジをより広くすることが可能である。
【００３６】
光学部材６０は、複数の反射部２０と、透光部５０の端面５０ａと、の間に設けられる。端面５０ａと光学部材６０との間、及び、複数の反射部２０と光学部材６０との間には、透光部５０の一部が配置されている。
【００３７】
光学部材６０は、第１表面５１に沿って設けられた第１部材６１と、第２表面５２に沿って設けられた第２部材６２と、を含む。このように、光学部材６０が透光部５０の表面に沿って設けられた状態について、図３（ａ）〜図３（ｆ）を参照して説明する。
【００３８】
図３（ａ）〜図３（ｆ）は、実施形態に係る表示装置の一部を例示する模式図である。  これらの図は、光学部材６０及び透光部５０の表面の近傍を拡大して表す。  
図３（ａ）または図３（ｂ）に示すように、第１部材６１の一部は、第１表面５１に沿った方向（例えば第１方向Ｄ１）において、第１表面５１と重なる。換言すれば、第１部材６１は、第１表面５１まで延びている。例えば、第１部材６１は、第１表面５１と接する。図３（ａ）に示す例では、第１部材６１の端と第１表面５１とは１つの平面上に位置する。
【００３９】
または、図３（ｃ）に示すように、第１部材６１は、第１表面５１から僅かに離れていてもよい。例えば、第１表面５１と第１部材６１との間の距離Ｘ１は、０ｍｍ（ミリメートル）以上０．５ｍｍ以下である。但し、距離Ｘ１は、短いことが望ましい。
【００４０】
同様に、図３（ｄ）または図３（ｅ）に示すように、第２部材６２の一部は、第２表面５２に沿った方向（例えば第１方向Ｄ１）において、第２表面５２と重なる。換言すれば、第２部材６２は、第２表面５２まで延びている。例えば、第２部材６２は、第２表面５２と接する。図３（ｄ）に示す例では、第２部材６２の端と第２表面５２とは１つの平面上に位置する。または、図３（ｆ）に示すように、第２表面５２と第２部材６２との間の距離Ｘ２は、０ｍｍ以上０．５ｍｍ以下である。距離Ｘ２は、短いことが望ましい。
【００４１】
また、図２に示すように、複数の反射部２０のそれぞれは、第１表面５１に沿って設けられた第１端部２０ａと、第２表面５２に沿って設けられた第２端部２０ｂとを含む。このように、反射部２０の端部が透光部５０の表面に沿って設けられた状態について、図４（ａ）〜図４（ｄ）を参照して説明する。
【００４２】
図４（ａ）〜図４（ｄ）は、実施形態に係る表示装置の一部を例示する模式図である。  これらの図は、複数の反射部２０の一つの端部及び透光部５０の表面の近傍を拡大して表す。  
図４（ａ）に示すように、反射部２０の第１端部２０ａは、第１表面５１に沿った方向（例えば第１方向Ｄ１）において、第１表面５１と重なる。この例では、第１端部２０ａと第１表面５１とは１つの平面上に位置する。換言すれば、第１端部２０ａは、第１表面５１まで延びている。例えば、第１端部２０ａは、第１表面５１と接する。
【００４３】
または、図４（ｂ）に示すように、第１端部２０ａは、第１表面５１から僅かに離れていてもよい。例えば、第１端部２０ａと第１表面５１との間の距離Ｘ３は、０ｍｍ以上２ｍｍ以下である。距離Ｘ３は、短いことが望ましい。
【００４４】
同様に、図４（ｃ）に示すように、第２端部２０ｂは、第２表面５２に沿った方向（例えば第１方向Ｄ１）において、第２表面５２と重なる。この例では、第２端部２０ｂと第２表面５２とは１つの平面上に位置する。換言すれば、第２端部２０ｂは、第２表面５２まで延びている。例えば、第２端部２０ｂは、第２表面５２と接する。または、図４（ｄ）に示すように、第２表面５２と第２端部２０ｂとの間の距離Ｘ４は、０ｍｍ以上２ｍｍ以下である。距離Ｘ４は短いことが望ましい。
【００４５】
図５（ａ）〜図５（ｃ）は、表示装置を例示する模式図である。  
図５（ａ）は、参考例の表示装置１０９を例示する。表示装置１０９には、光学部材６０が設けられない。これ以外は、表示装置１０９は、表示装置１００と同様である。
【００４６】
例えば、表示部１９から出射された画像光のうち光Ｌｓが透光部５９に入射する。このとき、図５（ａ）に示すように、光Ｌｓは、透光部５９の表面おいて全反射されることがある。全反射された光Ｌｓは、透光部５９内を進行し、反射部２９に入射する。これにより、迷光（例えば光Ｌｓａ）が生じる。この迷光は、正しい虚像とは異なる位置に二重像を形成する場合がある。迷光が生じると、見易さが低下する。
【００４７】
図５（ｂ）は、反射部２９と透光部５９との間の距離Ｘ９、Ｘ１９を長くした参考例の表示装置１１９を例示する。表示装置１１９においても、表示部１９から出射され透光部５９に入射した光Ｌｓは、透光部５９の表面において全反射される。
【００４８】
表示装置１１９のように距離Ｘ９及び距離Ｘ１９が長い場合には、全反射された光Ｌｓは、透光部５９内を進行するが、反射部２９に入射しない。迷光が使用者の瞳孔へ向けて反射されないため、迷光による見易さの低下を抑制することができる。しかしながら、距離Ｘ９及び距離Ｘ１９が長い場合、表示装置の大型化や生産性の低下を招くおそれがある。
【００４９】
これに対して、図５（ｃ）に示すように、実施形態に係る表示装置１００には、表示部１０から出射された画像光の一部（第２部分Ｌ２）が入射する光学部材６０が設けられる。第２部分Ｌ２は、例えば全反射によって迷光となる光Ｌｓを含む。すなわち、光学部材６０は、迷光の光路を遮断する。これにより、迷光の発生を抑制し、見やすい表示を得ることができる。表示装置の大型化を抑制することができる。
【００５０】
既に述べた通り、第１部材６１は、第１表面５１に沿って設けられる。これにより、例えば第１表面５１における全反射を抑制できる。第１表面５１と第１部材６１との間の隙間が広い場合（すなわち図３（ｃ）に示した距離Ｘ１が長い場合）、隙間を迷光が通過するおそれがある。第１部材６１は、第１表面５１と接していることが望ましい。
【００５１】
同様に、第２部材６２は、第２表面５２に沿って設けられる。これにより、例えば第２表面５２における全反射を抑制できる。第２部材６２は、第２表面５２と接していることが望ましい。
【００５２】
この例では、第１部材６１と第２部材６２とは別体であり、互いに離間している。光学部材６０は、第１方向Ｄ１に沿ってみたときに、環状であってもよい。すなわち、第１部材６１と第２部材６２とは、連続していてもよい。
【００５３】
第１方向Ｄ１における第１部材６１の位置は、第１方向Ｄ１における第２部材６２の位置と同じであってもよいし、異なっていてもよい。例えば、第１部材６１と端面５０ａとの間の第１方向Ｄ１に沿った距離Ｙ１は、第２部材６２と断面５０ａとの間の第１方向Ｄ１に沿った距離Ｙ２よりも長い。
【００５４】
第１方向Ｄ１に沿った第１部材６１の長さは、第１方向Ｄ１に沿った第２部材の長さと同じであってもよいし、異なっていてもよい。
【００５５】
図６は、実施形態に係る表示装置を例示する模式図である。  
図６に示すように、透光部５０の端面５０ａは、第２方向Ｄ２における端部（第１入射端５１ｅ及び第２入射端５２ｅ）を含む。第１入射端５１ｅは、第１表面５１側の端部、すなわち第１表面５１に隣接する端部である。第２入射端５２ｅは、第２表面５２側の端部、すなわち第２表面５２に隣接する端部である。第１入射端５１ｅと第２入射端５２ｅとは、第２方向Ｄ２において互いに離間する。
【００５６】
表示部１０は、第１表示端１１と第２表示端１２とを含む。第１表示端１１及び第２表示端１２は、表示部１０のうち画像光を出射する画素が並べられた領域の端であり、例えば第２方向Ｄ２において互いに離間する。
【００５７】
第１表示端１１は、端面５０ａのうち、第１入射端５１ｅ側（第１表面５１側）に入射する光を出射する。第２表示端１２は、端面５０ａのうち、第２入射端５２ｅ側（第２表面５２側）に入射する光を出射する。すなわち、第１表示端１１と第１表面５１との間の距離Ｙ３は、第２表示端１２と第１表面５１との間の距離Ｙ４よりも短い。第１表示端１１から第１入射端５１ｅまでの光路長は、第２表示端１２から第１入射端５１ｅまでの光路長よりも短い。
【００５８】
複数の反射部２０のうち端面５０ａから最も遠い反射部２０（この例では第３反射部２３）は、第１表面５１に沿って設けられた第１反射端２３ａと、第２表面５２に沿って設けられた第２反射端２３ｂと、を含む。
【００５９】
光学部材６０に入射する画像光（第２部分Ｌ２）は、第２表示端１２から出射される光Ｌｐを含む。端面５０ａに入射した光Ｌｐは、第１反射端２３ａへ向かって進行し、第１部材６１に入射する。すなわち、第１部材６１の第２方向Ｄ２に沿った長さは、第１反射端２３ａへ向かう光Ｌｐを遮光できる程度に長くされる。これにより、第１表面５１における全反射を抑制できる。
【００６０】
図７は、実施形態に係る表示装置を例示する模式図である。  
図７に示すように、複数の反射部２０に入射する画像光（第１部分Ｌ１）は、第２表示端１２から出射される光Ｌｑを含む。光Ｌｑは、端面５０ａの第２入射端５２ｅにおいて透光部５０に入射して、複数の反射部２０に入射する。すなわち、第２部材６２の第２方向Ｄ２に沿った長さは、第２入射端５２ｅにおいて透光部５０に入射する光Ｌｑを遮らない程度に短くされる。これにより、光学部材６０が画像光を遮り過ぎて、使用者の見る画像が欠けたり暗くなったりすることを抑制できる。
【００６１】
実施形態によれば、見易い表示装置が提供できる。
【００６２】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００６３】
以上、具体例を参照しつつ、本発明の実施の形態について説明した。しかし、本発明の実施形態は、これらの具体例に限定されるものではない。例えば、表示部、反射部、光学部、処理部及び透光部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００６４】
その他、本発明の実施の形態として上述した表示装置を基にして、当業者が適宜設計変更して実施し得る全ての表示装置も、本発明の要旨を包含する限り、本発明の範囲に属する。
【００６５】
その他、本発明の思想の範疇において、当業者であれば、各種の変更例及び修正例に想到し得るものであり、それら変更例及び修正例についても本発明の範囲に属するものと了解される。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１０…表示部、  １０ｅ…画素、  １１…第１表示端、  １２…第２表示端、  １９…表示部、  ２０…反射部、  ２０ａ…第１端部、  ２０ｂ…第２端部、  ２１〜２３…第１〜第３反射部、  ２３ａ…第１反射端、  ２３ｂ…第２反射端、  ２９…反射部、  ３０…光学部、  ３１…レンズ、  ３１ｘ…光軸、  ４０…処理部、  ５０…透光部、  ５０ａ、５０ｂ…端面、  ５１…第１表面、  ５１ｅ…第１入射端、  ５２…第２表面、  ５２ｅ…第２入射端、  ５９…透光部、  ６０…光学部材、  ６１…第１部材、  ６２…第２部材、  θ１、θ２…角度、  １００、１０９、１１９…表示装置、  ２００…使用者、  ２０１…瞳孔、  ２１０…像、  Ｄ１…第１方向、  Ｄ２…第２方向、  ＤＬａ…方向、  ＥＲ…アイレンジ、  Ｌ１…第１部分、  Ｌ２…第２部分、  Ｌａ、Ｌｂ、Ｌｐ、Ｌｑ、Ｌｓ、Ｌｓａ…光、  Ｌｅ…画像光、  Ｘ１〜Ｘ４、Ｘ９、Ｘ１９…距離、  Ｙ１〜Ｙ４…距離
【図１】
2018136454.tif 000003
【図２】
2018136454.tif 000004
【図３】
2018136454.tif 000005
【図４】
2018136454.tif 000006
【図５】
2018136454.tif 000007
【図６】
2018136454.tif 000008
【図７】
2018136454.tif 000009